(57)【要約】【課題】熟練作業を要せずに簡易にロープ接続を行えるロープ接続方法の提供。【解決手段】第１ストランド８を所定長さだけ切断してストランド取り除き溝６ａ、６ｂを形成し、所定長さのストランド１１ａ、１１ｂのみを残して第２ロープ１０端部を取り除いた後、ロープ６、１０同士を突合せ、第１ロープ１０のストランド取り除き溝６ａ、６ｂに第２ロープ１０の切り残しストランド１１ａ、１１ｂを巻き付け、切り残しストランド１１ａ、１１ｂ先端部の外周を案内治具１で挟持して、この案内治具１をロープ６、１０の端部突合せ部方向に回転しながら移動させることでストランド撚れを除去する。【選択図】        図１
2004345827.tif 000002
【特許請求の範囲】
【請求項１】
第１芯綱の周りに捻り合わせた複数本の第１ストランドのうちの一部を所定長さだけ切断して取り除くことで、前記第１芯綱と第１ストランドとからなる第１ロープの端部外周にストランド取り除き溝を形成する工程と、
第２芯綱の周りに捻り合わせた複数本の第２ストランドのうち一部を所定長さだけ残し他の第２ストランドおよび前記第２芯綱を切断して取り除くことで、前記第２芯綱と第２ストランドとからなる第２ロープの端部に切り残しストランドを形成する工程と、
前記ストランド取り除き溝が形成された前記第１ロープの端面に、前記切り残しストランドが形成された前記第２ロープの端面を突合せた後、前記ストランド取り除き溝に前記切り残しストランドを巻き付ける工程とを有し、前記第１ロープおよび第２ロープを互いに接続するロープ接続方法において、
前記第１ロープのストランド取り除き溝に前記第２ロープの切り残しストランドを巻き付けた後に、この切り残しストランドの先端部近傍の外周を案内治具により挟持し、この案内治具を前記第１ロープおよび第２ロープの端面突合せ部方向に回転させながら移動させることで、前記第１ロープおよび第２ロープの接続部のストランド撚れを除去してロープ形状を確保するようにしたことを特徴とするロープ接続方法。
【請求項２】
請求項１記載のロープ接続方法に用いられる案内治具において、
それぞれ半円筒状に形成され、前記切り残しストランドの先端部近傍の外周を挟み込む一対の挟み込み部と、この一対の挟み込み部の一端を開閉可能に連結する蝶番部と、前記一対の挟み込み部の各他端を締結する締結部とを備えたことを特徴とする案内治具。
【請求項３】
請求項１記載のロープ接続方法に用いられる案内治具において、
それぞれ半円筒状に形成され、前記切り残しストランドの先端部近傍の外周を挟み込む一対の挟み込み部と、この一対の挟み込み部の両端をそれぞれ互いに連結する締結部とを備えたことを特徴とする案内治具。
【発明の詳細な説明】
【０００１】
【発明の属する技術分野】
本発明は、芯綱および複数本のストランドから構成されるロープ、特にワイヤロープの接続方法およびその接続方法に用いられる案内治具に関する。
【０００２】
【従来の技術】
従来、この種のワイヤロープの接続方法として、例えばエレベータの主ロープ交換時に既設ロープの端部に新ロープを接続して、既設ロープを引張りながら新ロープに入れ替えるものがある。このような従来のワイヤロープの接続方法にあっては、通常エレベータのロープが掛かっているプーリ等にロープ外れ止めが設けられており、このロープ外れ止めとプーリの隙間に既設ロープ端部と新ロープ端部の接続部を通過させるために、このロープ接続部の直径をロープ直径と略同一になるようにロープ接続を行っている。
【０００３】
そして、このようなロープ接続方法の一例として、新ロープの端部から所定長さのストランド２本のみを残して他を切断して取り除くことにより２本の切り残しストランドを形成し、既設ロープの端部から所定長さのストランド２本を切断して取り除くことにより２本のストランド取り除き溝を形成した後、これらの新ロープおよび既設ロープの各端部を突合せ、前記の切り残しストランドをストランド取り除き溝に巻き込み接続するものが提案されている（例えば、特許文献１参照。）。
【０００４】
【特許文献１】
特開平４‐３２７４８３号公報（段落番号００２６、図５）
【０００５】
【発明が解決しようとする課題】
ところで、上述した従来のロープ接続方法では、鋼線で撚られたストランドは撚りの癖があり、一方のロープ端部に切り残したストランドを他方のロープ端部のストランド取り除き溝に巻き込む際に、両方のロープが振れないように押さえながら、切り残したストランドをストランド取り除き溝に巻き込む作業を同時に行う必要があるため、この作業に不慣れな場合には、ロープ接合部に膨らみ段差が生じてしまう等の不都合が発生するという問題があり、したがって、ロープ接続作業を行う際に複数の作業員が必要であり、かつかなりの時間と熟練を要していた。
【０００６】
本発明は、上記のような従来技術における実状を鑑みてなされたもので、その目的は、熟練作業を要せずに簡易にロープを接続することのできるロープ接続方法およびその接続方法に用いられる案内治具を提供することにある。
【０００７】
【課題を解決するための手段】
上記目的を達成するため、本発明の請求項１に係わる発明は、第１芯綱の周りに捻り合わせた複数本の第１ストランドのうちの一部を所定長さだけ切断して取り除くことで、前記第１芯綱と第１ストランドとからなる第１ロープの端部外周にストランド取り除き溝を形成する工程と、第２芯綱の周りに捻り合わせた複数本の第２ストランドのうち一部を所定長さだけ残し他の第２ストランドおよび前記第２芯綱を切断して取り除くことで、前記第２芯綱と第２ストランドとからなる第２ロープの端部に切り残しストランドを形成する工程と、前記ストランド取り除き溝が形成された前記第１ロープの端面に、前記切り残しストランドが形成された前記第２ロープの端面を突合せた後、前記ストランド取り除き溝に前記切り残しストランドを巻き付ける工程とを有し、前記第１ロープおよび第２ロープを互いに接続するロープ接続方法において、前記第１ロープのストランド取り除き溝に前記第２ロープの切り残しストランドを巻き付けた後に、この切り残しストランドの先端部近傍の外周を案内治具により挟持し、この案内治具を前記第１ロープおよび第２ロープの端面突合せ部方向に回転させながら移動させることで、前記第１ロープおよび第２ロープの接続部のストランド撚れを除去してロープ形状を確保する構成にした。
【０００８】
このように請求項１に係わる発明では、第１ロープのストランド取り除き溝に第２ロープの切り残しストランドを巻き付ける際、案内治具を用いて切り残しストランドの先端部から第１ロープおよび第２ロープの付き合わせ端方向に回転しながら移動させることで、切り残しストランドをストランド取り除き溝に導き入れることが容易となる。これにより、簡単にロープ接続部を整えることができ、熟練作業を要せずに簡易にロープ接続を行える。
【０００９】
また、本発明の請求項２に係わる発明は、請求項１に係わるロープ接続方法に用いられる案内治具において、それぞれ半円筒状に形成され、前記切り残しストランドの先端部近傍の外周を挟み込む一対の挟み込み部と、この一対の挟み込み部の一端を開閉可能に連結する蝶番部と、前記一対の挟み込み部の各他端を締結する締結部とを備えた構成にした。
【００１０】
このように構成した請求項２に係わる発明では、案内治具の蝶番部を支軸として一対の挟み込み部を開いた状態で挟み込み部を切り残しストランドの先端部近傍に装着し、一対の挟み込み部を閉じて切り残しストランドの先端部近傍の外周を挟み込んだ後、挟み込み部の各他端を締結部で互いに締結することで所定の把持力を確保する。これによって、案内治具をロープに容易に着脱することができるので、この点でも簡易にロープ接続を行える。
【００１１】
また、本発明の請求項３に係わる発明は、請求項１に係わるロープ接続方法に用いられる案内治具において、それぞれ半円筒状に形成され、前記切り残しストランドの先端部近傍の外周を挟み込む一対の挟み込み部と、この一対の挟み込み部の両端をそれぞれ互いに締結する締結部とを備えた構成にした。
【００１２】
このように構成した請求項２に係わる発明では、案内治具の締結部による締結状態を解除して一対の挟み込み部を分割した状態で挟み込み部を切り残しストランドの先端部近傍に装着し、一対の挟み込み部を閉じて切り残しストランドの先端部近傍の外周を挟み込んだ後、挟み込み部の両端を締結部で互いに締結することで所定の把持力を確保する。これによって、案内治具をロープに容易に着脱することができるので、この点でも簡易にロープ接続を行える。
【００１３】
【発明の実施の形態】
以下、本発明の実施の形態を図に基づいて説明する。
【００１４】
図１は本発明の一実施形態に係わるロープ接続方法を説明する斜視図、図２は本実施形態のロープ接続方法を説明する断面図、図３は本実施形態のロープ接続方法で用いられる案内治具を示す斜視図、図４は切り残しストランドおよびストランド取り除き溝を形成する工程を説明する斜視図である。
【００１５】
図１に示す本実施形態の案内治具１は、それぞれ半円筒状に形成される挟み込み部２ａ、２ｂと、これらの挟み込み部２ａ、２ｂの各一端を開閉可能に連結する蝶番部３と、挟み込み部２ａ、２ｂの各他端を締結する締結部４ａ、４ｂと、これらの締結部４ａ、４ｂを互いに固定するボルト５とからなっている。
【００１６】
図４に示す第１ロープ６は、第１芯線７とこの第１芯線７の周りに撚り合わせた８本の第１ストランド８とから構成されており、同様に、第２ロープ１０は、図示しない第２芯線とこの第２芯線の周りに撚り合わせた８本の第２ストランド１１とから構成されている。
【００１７】
そして、本実施形態のロープ接続方法では、図４に示すように、まず第１ロープ６の端部における８本の第１ストランド８のうちの２本を所定長さだけ切断して取り除くことで第１ロープ６の端部外周にストランド取り除き溝６ａ，６ｂを形成するとともに、第２ロープ１０の端部における８本の第２ストランド１１のうち２本のみを所定長さだけ残して他の第２のストランド１１、および第２の芯綱を切断して取り除くことで、第２ロープ１０の端部に切り残しストランド１１ａ，１１ｂを形成する。次いで、第１ストランド取り除き溝６ａ，６ｂが形成された第１ロープ６の端面に、切り残しストランド１１ａ，１１ｂが形成された第２ロープ１０の端面を突合せた後、２本のストランド１１ａ、１１ｂがそれぞれストランド取り除き溝６ａ、６ｂに係合するよう位置を合わせた状態で、ストランド取り除き溝６ａ，６ｂに切り残しストランド１１ａ、１１ｂをそれぞれ巻き付ける。
【００１８】
このようにして第１ロープ６のストランド取り除き溝６ａ，６ｂに第２ロープ１０の切り残しストランド１１ａ，１１ｂを巻き付けたとき、この状態では突合せ端部の位置により切り残しストランド１１ａ、１１ｂがストランド取り除き溝６ａ、６ｂに納まらず、ストランド全体に拠りが発生するため、巻き付けが均一にならず、第１ロープ６および第２ロープ１０の接続部に膨らみが生じてしまうので、図１に示すように、案内治具１を用いて第１ロープ６および第２ロープ１０の接続部のストランド撚れを除去してロープ形状を確保する。このとき、蝶番部３を支軸として一対の挟み込み部２ａ、２ｂを開き、これらの挟み込み部２ａ、２ｂを切り残しストランド１１ａ，１１ｂの先端部近傍に装着し、図２に示すように、挟み込み部２ａ、２ｂを閉じて切り残しストランド１１ａ，１１ｂの先端部近傍の外周を挟み込んだ後、締結部４ａ、４ｂをボルト５で締結することで所定の把持力を確保する。次いで、この状態で案内治具１を第１ロープ６および第２ロープ１０の端部突合せ部方向に回転させながら移動させることで、ストランド取り除き溝６ａ、６ｂに切り残しストランド１１ａ、１１ｂを強制的に導き、巻き付けの均一化を図り、第１ロープ６および第２ロープ１０の接続部のストランド撚れを除去するようになっている。
【００１９】
次いで、切り残しストランド１１ａ、１１ｂ部分から第１ロープ６および第２ロープ１０の突合せ方向に向けてビニールテープ等を巻きつけて状態の固定を行った後、案内治具１のボルト５を取り外し挟み込み部２ａ、２ｂを開いて案内治具１を第１ロープ６から取り外し、全ての接続部分をビニールテープ等で巻き付けることにより、ロープ接続作業が完了する。
【００２０】
このように構成した実施形態では、第１ロープ６の端面に第２ロープ１０の端面を突合せた後、案内治具１を用いて第１ロープ６のストランド取り除き溝６ａ、６ｂに第２ロープ１０の切り残しストランド１１ａ，１１ｂを導き入れることが容易となるため、簡単にロープ６，１０の接続部を整えることができ、熟練作業を要せずに簡易にロープ６，１０の接続を行える。
【００２１】
また、本実施形態にあっては、一対の挟み込み部２ａ、２ｂが開閉可能であるため、案内治具１をロープ６，１０に容易に着脱することができ、この点でも簡易にロープ６，１０の接続を行える。
【００２２】
なお、上記実施形態では、挟み込み部２ａ、２ｂの片側に蝶番部３を設けて一端を開閉可能な構成としたが、挟み込み部２ａ、２ｂの両側ともに締結部を設けて分割可能な構成にしても同様の効果がある。
【００２３】
さらに、上記実施形態では、第１ロープ６のストランド８、および第２ロープ１０のストランド１１をそれぞれ８本とした場合を例示したが、複数本のストランドであれば他の本数でもよく、また、第１ロープ６のストランド８のうち２本を切断する場合を例示したが、２本の代わりに他の本数でもよい。
【００２４】
【発明の効果】
以上説明したように、本発明の請求項１に係わる発明では、第１ロープのストランド取り除き溝に第２ロープの切り残しストランドを巻き付ける際、案内治具を用いてストランド取り除き溝に切り残しストランドを導き入れることが容易となるため、簡単にロープ接続部を整えることができ、熟練作業を要せずに簡易にロープ接続を行える。したがって、ロープ接続作業の効率を向上できるという効果がある。
【００２５】
また、本発明の請求項２に係わる発明では、案内治具の挟み込み部が開閉可能であるため、案内治具をロープに容易に着脱することができ、したがって、この点でも簡易にロープ接続を行えるという効果がある。
【００２６】
また、本発明の請求項３に係わる発明では、案内治具の挟み込み部が分割可能であるため、案内治具をロープに容易に着脱することができ、したがって、この点でも簡易にロープ接続を行えるという効果がある。
【図面の簡単な説明】
【図１】本発明の一実施形態に係わるロープ接続方法を説明する斜視図である。
【図２】本実施形態のロープ接続方法を説明する断面図である。
【図３】本実施形態で用いられる案内治具を示す斜視図である。
【図４】切り残しストランドおよびストランド取り除き溝を形成した状態を示す斜視図である。
【符号の説明】
１  案内治具
２ａ、２ｂ  挟み込み部
６  第１ロープ
６  第１ストランド
６ａ、６ｂ  ストランド取り除き溝
１０  第２ロープ
１１  第２ストランド
１１ａ、１１ｂ  切り残しストランド
【図１】
2004345827.tif 000003
【図２】
2004345827.tif 000004
【図３】
2004345827.tif 000005
【図４】
2004345827.tif 000006